【手続補正書】
【提出日】平成23年4月20日(2011.4.20)
【手続補正１】
【補正対象書類名】特許請求の範囲
【補正対象項目名】請求項１
【補正方法】変更
【補正の内容】
【請求項１】
着用者の股部を含む領域にあてがわれて使用される使い捨て吸収性物品であって、
前記着用者の少なくとも前腹部、前記股部及び後背部を含む領域にあてがわれるシート体と、
前記シート体の内部又は前記シート体の肌面側に配置され、前記着用者が排泄した体液を吸収する吸収コアと、
前記シート体の左右の脚周り部の一方の前側の部分から股下部を横断して他方の前側の部分に至る経路に沿って伸張された状態で付与された少なくとも１つの前側脚周り弾性部材と、
前記シート体の左右の脚周り部の一方の後側の部分から股下部を横断して他方の後側の部分に至る経路に沿って伸張された状態で付与された少なくとも１つの後側脚周り弾性部材と、
を備え、
前記前側脚周り弾性部材と前記後側脚周り弾性部材とは、前記シート体の前記股下部に位置する左右の交差部にて交差し、前記左右の交差部は、前記股下部における前記吸収コアの左右の側縁の近傍から横方向の外側の領域におけるいずれかの位置にあり、
前記前側脚周り弾性部材は、
前記左右の交差部の前記横方向の外側に位置し、切断されて収縮力が弱められた左右の前側脚周り弱化区間を有し、
前記後側脚周り弾性部材は、
前記左右の交差部の前記横方向の外側に位置し、切断されて収縮力が弱められた左右の後側脚周り弱化区間を有することを特徴とする使い捨て吸収性物品。
【手続補正２】
【補正対象書類名】明細書
【補正対象項目名】０００９
【補正方法】変更
【補正の内容】
【０００９】
上記の課題を解決するため、請求項１の発明では、着用者の股部を含む領域にあてがわれて使用される使い捨て吸収性物品であって、前記着用者の少なくとも前腹部、前記股部及び後背部を含む領域にあてがわれるシート体と、前記シート体の内部又は前記シート体の肌面側に配置され、前記着用者が排泄した体液を吸収する吸収コアと、前記シート体の左右の脚周り部の一方の前側の部分から股下部を横断して他方の前側の部分に至る経路に沿って伸張された状態で付与された少なくとも１つの前側脚周り弾性部材と、前記シート体の左右の脚周り部の一方の後側の部分から股下部を横断して他方の後側の部分に至る経路に沿って伸張された状態で付与された少なくとも１つの後側脚周り弾性部材とを備え、前記前側脚周り弾性部材と前記後側脚周り弾性部材とは、前記シート体の前記股下部に位置する左右の交差部にて交差し、前記左右の交差部は、前記股下部における前記吸収コアの左右の側縁の近傍から横方向の外側の領域におけるいずれかの位置にあり、前記前側脚周り弾性部材は、前記左右の交差部の前記横方向の外側に位置し、切断されて収縮力が弱められた左右の前側脚周り弱化区間を有し、前記後側脚周り弾性部材は、前記左右の交差部の前記横方向の外側に位置し、切断されて収縮力が弱められた左右の後側脚周り弱化区間を有する。
【手続補正３】
【補正対象書類名】明細書
【補正対象項目名】００１６
【補正方法】変更
【補正の内容】
【００１６】
すなわち、請求項１に記載の発明では、使い捨て吸収性物品のシート体の左右の脚周り部の一方の前側の部分から股下部を横断して他方の前側の部分に至る経路に沿って、少なくとも１つの前側脚周り弾性部材が伸張された状態で付与されている。また、シート体の左右の脚周り部の一方の後側の部分から股下部を横断して他方の後側の部分に至る経路に沿って、少なくとも１つの後側脚周り弾性部材が伸張された状態で付与されている。そして、前側脚周り弾性部材と後側脚周り弾性部材とが、シート体の股下部に位置する左右の交差部にて交差している。それ故、シート体の股下部にて前側脚周り弾性部材の横方向の収縮力と後側脚周り弾性部材の横方向の収縮力が互いに協働して作用する。
【手続補正４】
【補正対象書類名】明細書
【補正対象項目名】００２３
【補正方法】変更
【補正の内容】
【００２３】
また、前側脚周り弾性部材と後側脚周り弾性部材とが交差する左右の交差部では、前側脚周り弾性部材及び後側脚周り弾性部材による引き締め効果が発揮される。このため、前側脚周り弾性部材及び後側脚周り弾性部材による吸収性物品の股下の部分の左右両側の部分（特に、吸収コアの左右の側縁の近傍から横方向の外側に位置する部分）に対する引き締め効果を維持できる。その一方で、前記の如く、吸収性物品の股下の部分（特に、吸収コアの左右の側縁の近傍から横方向の内方に位置する部分）に対して与えられる収縮力を効果的に緩和できる。
【手続補正５】
【補正対象書類名】明細書
【補正対象項目名】００４３
【補正方法】変更
【補正の内容】
【００４３】
前側脚周り弾性部材２５は、外装材２の左右の脚周り部２ａ，２ｂの一方の前側の部分から股下部２ｃを横断して他方の前側の部分に至る経路に沿って伸張された状態で付与されている。後側脚周り弾性部材２６は、外装材２の左右の脚周り部２ａ，２ｂの一方の後側の部分から股下部２ｃを横断して他方の後側の部分に至る経路に沿って伸張された状態で付与されている。本実施形態では、複数（例えば、３つ）の前側脚周り弾性部材２５，２６がそれぞれ付与されている。この前側脚周り弾性部材２５及び後側脚周り弾性部材２６は、外装材２及び吸収性物品１の左右の脚孔１２に沿った部分、及び、股下の部分に対する引き締めのために付与されている。
【手続補正６】
【補正対象書類名】明細書
【補正対象項目名】００４６
【補正方法】変更
【補正の内容】
【００４６】
また、前側脚周り弾性部材２５は、左右の交差部２７の横方向Ｘの外側において、切断されて収縮力が弱められた左右の前側脚周り弱化区間２８を有している。後側脚周り弾性部材２６は、左右の交差部２７の横方向Ｘの外側において、切断されて収縮力が弱められた左右の後側脚周り弱化区間２９を有している。これらの弱化区間２８，２９は、次のようにして形成される。すなわち、まず弾性部材２５，２６を所定の前記経路に沿って伸張した状態で外装材２に付与する。その後、弾性部材２５，２６の一部の区間において、弾性部材２５，２６を１又は複数箇所で切断し、これによって弾性部材２５，２６の収縮力を開放する。
【手続補正７】
【補正対象書類名】明細書
【補正対象項目名】００５１
【補正方法】変更
【補正の内容】
【００５１】
すなわち、本実施形態では、吸収性物品１の外装材２の左右の脚周り部２ａ，２ｂの一方の前側の部分から股下部２ｃを横断して他方の前側の部分に至る経路に沿って、少なくとも１つの前側脚周り弾性部材２５が伸張された状態で付与されている。また、外装材２の左右の脚周り部２ａ，２ｂの一方の後側の部分から股下部２ｃを横断して他方の後側の部分に至る経路に沿って、少なくとも１つの後側脚周り弾性部材２６が伸張された状態で付与されている。そして、前側脚周り弾性部材２５と後側脚周り弾性部材２６とが、外装材２の股下部２ｃに位置する左右の交差部２７にて交差している。それ故、外装材２の股下部２ｃにて前側脚周り弾性部材２５の横方向Ｘの収縮力と後側脚周り弾性部材２６の横方向Ｘの収縮力が互いに協働して作用する。
【手続補正８】
【補正対象書類名】明細書
【補正対象項目名】００５３
【補正方法】変更
【補正の内容】
【００５３】
これによって、脚周り弾性部材２５，２６の股下部２ｃを横断する部分による股下部２ｃに対する横方向Ｘの十分な引き締めが得られる。その結果、吸収性物品１の股下の部分の横方向Ｘの広がりを抑制できるため、左右の脚孔１２が大きくなり、脚を脚孔１２に通しやすくなり、吸収性物品１の装着が容易になる。また、吸収性物品１の股下の部分の横方向Ｘの広がりを抑制できるため、着用者が股下の部分に感じる違和感を軽減できる。
【手続補正９】
【補正対象書類名】明細書
【補正対象項目名】００５７
【補正方法】変更
【補正の内容】
【００５７】
また、本実施形態では、吸収コア４が外装材２の肌面側に配置された内装材３に設けられる。このため、外装材２に弾性部材２１〜２６（特に、脚周り弾性部材２５，２６）を付与する際、及び脚周り弾性部材２５，２６に脚周り弱化区間２８，２９を設ける際等に、吸収コア４が邪魔になる、あるいは、吸収コア４が損傷を受ける等の不都合を回避でき、品質の高い吸収性物品１を提供できる。
【手続補正１０】
【補正対象書類名】明細書
【補正対象項目名】００６０
【補正方法】変更
【補正の内容】
【００６０】
本実施形態に係る吸収性物品１Ａでは、図６及び図７に示すように、前側脚周り弾性部材２５及び後側脚周り弾性部材２６に、左右の脚周り弱化領域２８，２９に追加して、第１股下弱化区間３１及び第２股下弱化区間３２をそれぞれ設けている。この第１股下弱化区間３１及び第２股下弱化区間３２は、左右の交差部２７の間のいずれかの位置にある。本実施形態では、脚周り弾性部材２５，２６における吸収コア４の左右の側縁の近傍から横方向Ｘの内側に位置する部分の全域が、第１股下弱化区間３１及び第２股下弱化区間３２にそれぞれなっている。第１及び第２股下弱化区間３１，３２は、その区間３１，３２に位置する脚周り弾性部材２５，２６が切断されて収縮力が弱められた区間であり、上述の脚周り弱化区間２８，２９とほぼ同様な手法により形成される。
【手続補正１１】
【補正対象書類名】明細書
【補正対象項目名】００６２
【補正方法】変更
【補正の内容】
【００６２】
また、脚周り弾性部材２５，２６が交差する左右の交差部２７では、脚周り弾性部材２５，２６による引き締め効果が発揮される。このため、脚周り弾性部材２５，２６による吸収性物品１Ａの股下の部分の左右両側の部分（特に、吸収コア４の左右の側縁４ｂの近傍から横方向Ｘの外側に位置する部分）に対する引き締め効果を維持できる。その一方で、前記の如く、吸収性物品１Ａの股下の部分（特に、吸収コア４の左右の側縁４ｂの近傍から横方向Ｘの内方に位置する部分）に対して与えられる収縮力を効果的に緩和できる。